(57)【要約】【課題】携帯端末機において、筐体端部を覆うキャップを機能部品として有効利用する。【解決手段】筐体２端部を覆うキャップ７と、筐体２端部内に設けられるスピーカ９と、を備え、キャップ７にスピーカ９に対応する放音部７１を形成する。具体的には、スピーカ９は、筐体２を構成する上下のケース２１・２２の端部間に配置されていて、上下のケース２１・２２の端部２１ａ・２２ａは、スピーカ９の両側部においてネジｎで結合されている。また、放音部７１は、キャップ７の筐体２に沿った端部に開口する切欠である。そして、キャップ７は、ネジｎ結合部分を含んで上下のケース２１・２２の端部２１ａ・２２ａに嵌め付けられている。【選択図】図７
2008160650.tif 000002
【特許請求の範囲】
【請求項１】
筐体端部を覆うキャップと、
前記筐体端部内に設けられるスピーカと、を備え、
前記キャップに前記スピーカに対応する放音部を形成したことを特徴とする携帯端末機。
【請求項２】
前記スピーカは、前記筐体を構成する上下のケースの端部間に配置されていて、
前記上下のケースの端部は、前記スピーカの両側部においてネジ結合されていることを特徴とする請求項１に記載の携帯端末機。
【請求項３】
前記放音部は、前記キャップの前記筐体に沿った端部に開口する切欠であることを特徴とする請求項１または２に記載の携帯端末機。
【請求項４】
前記キャップは、前記ネジ結合部分を含んで前記上下のケースの端部に嵌め付けられていることを特徴とする請求項２または３に記載の携帯端末機。
【発明の詳細な説明】
【技術分野】
【０００１】
本発明は、筐体端部を覆うキャップを備える携帯端末機に関する。
【背景技術】
【０００２】
携帯端末機において、筐体を構成する上下のケースを合体した端部に装飾用のカバーを装着することが行われる（例えば特許文献１参照）。これによれば、筐体の端部における上下ケースの合わせ部をカバーにより覆って装飾することで外観を良好にできる。
【特許文献１】特開２００６−１６５０４６号公報
【発明の開示】
【発明が解決しようとする課題】
【０００３】
しかし、従来の端部カバーは単に装飾用のものに過ぎず、携帯端末機における機能部品の有効配置等に寄与し得るものではなかった。即ち、最近は高密度実装がなされているため筐体の端部にまで電子部品が実装されており、通信機能を備えたものでは表示側筐体の先端端部に受話用のスピーカが設けられている。しかしながら、従来の端部カバーのような構成であるとスピーカを覆ってしまうためスピーカを表示側に設ける必要があり筐体の大型化を招いていた。
【０００４】
本発明の課題は、携帯端末機において、筐体端部を覆うキャップにスピーカに対応する放音部を形成して、筐体の大型化を招くことなくキャップを設けられるようにすることである。
【課題を解決するための手段】
【０００５】
以上の課題を解決するため、請求項１に記載の発明は、筐体端部を覆うキャップと、前記筐体端部内に設けられるスピーカと、を備え、前記キャップに前記スピーカに対応する放音部を形成した携帯端末機を特徴とする。
【０００６】
請求項２に記載の発明は、請求項１に記載の携帯端末機であって、前記スピーカは、前記筐体を構成する上下のケースの端部間に配置されていて、前記上下のケースの端部は、前記スピーカの両側部においてネジ結合されていることを特徴とする。
【０００７】
請求項３に記載の発明は、請求項１または２に記載の携帯端末機であって、前記放音部は、前記キャップの前記筐体に沿った端部に開口する切欠であることを特徴とする。
【０００８】
請求項４に記載の発明は、請求項２または３に記載の携帯端末機であって、前記キャップは、前記ネジ結合部分を含んで前記上下のケースの端部に嵌め付けられていることを特徴とする。
【発明の効果】
【０００９】
本発明によれば、携帯端末機の筐体端部を覆うキャップを、外観を良好にするに止まらず、スピーカの放音部を有することで筐体の大型化を招くことなくキャップを設けることができる。
【発明を実施するための最良の形態】
【００１０】
以下、図を参照して本発明を実施するための最良の形態を詳細に説明する。
図１及び図２は本発明を適用した携帯端末機の一実施形態の構成として携帯電話機を示すもので、１は操作側筐体、２は表示側筐体、３はヒンジケース、４は操作キー、５はメイン表示画面、６はサブ表示部、７はキャップである。
【００１１】
操作側筐体１と表示側筐体２は二軸ヒンジを介して結合されている。すなわち、操作キー４を有する操作側筐体１と、表裏に分けてメイン表示画面５及びサブ表示部６を有する表示側筐体２は、ヒンジケース３を介して折り畳み自在に結合されている。図３はヒンジケース３内のヒンジユニット３０を構成するヒンジ部３１及び支軸部３２を示したもので、操作側筐体１と表示側筐体２が第一ヒンジ軸を有するヒンジ部３１で折り畳み自在に結合されていて、さらに、表示側筐体２はヒンジ部３１に対し直交する第二ヒンジ軸を有する支軸部３２周りに回転可能に結合されている。
【００１２】
なお、メイン表示画面５を内側にした折り畳み状態を図１（ａ）に示しており、メイン表示画面５を外側にした折り畳み状態を図１（ｂ）に示している。また、図１（ａ）の状態から表示側筐体２を開いた状態を図２（ａ）に示しており、その表示側筐体２を回転させる動作状態を図２（ｂ）に示している。
【００１３】
以上の二軸ヒンジによる携帯端末機において、表示側筐体２は、ヒンジケース３と反対側の端部にキャップ７を組み付けて備えている。すなわち、表示側筐体２とキャップ７の関係を示す図４から図９のように、表示側筐体２は、下ケース２１、上ケース２２及び中ケース２３から構成されており、中ケース２３にメイン表示画面５に対応する液晶表示パネル８等が組み付けられて、上ケース２２にメイン表示画面５を含んでその周囲を覆う透明カバー２４が貼り付けられている。
【００１４】
そして、下ケース２１と上ケース２２のヒンジケース３と反対側は、図示のように、薄肉端部２１ａ・２２ａに形成されており、この薄肉端部２１ａ・２２ａの間に、受話用のスピーカ９が収容されている。このスピーカ９は、中ケース２３の端部中央から突出するスピーカ基板２５の上に載置されて、下ケース２１及び上ケース２２の薄肉端部２１ａ・２２ａが、スピーカ９の両側部でネジｎにより互いに結合されている。図７及び図８において、２１ｂはネジ止めボス、２２ｂはネジ止め凹部であり、上ケース２２の薄肉端部２２ａには、透明カバー２４に沿ってスピーカ９と対応する中央位置に放音用開口２６が形成されている。
【００１５】
キャップ７は、下ケース２１及び上ケース２２の薄肉端部２１ａ・２２ａの合わせ部分を覆う形状で、放音部７１、係合突起７２、係合爪７３及び係合突起７４が形成されている。すなわち、キャップ７の上ケース薄肉端部２２ａに対応する部分には、透明カバー２４に沿って放音用開口２６と対応する中央位置に、受話部である放音部７１が形成されている。キャップ７の下ケース薄肉端部２１ａに対応する部分には、内側から外側に突出する左右一対の係合突起７２が形成されている。さらに、キャップ７の放音部７１の左右には、内側から外側に突出する一対の係合爪７３が形成されている。また、キャップ７の放音部７１の奥側には、係合突起７４が形成されている。
【００１６】
なお、図示例において、放音部７１は切欠により形成されている。そして、係合突起７２の先端部は表側に僅かに膨出して形成されている。また、係合爪７３の先端部は表側に屈曲して形成されている。
【００１７】
また、下ケース薄肉端部２１ａには、キャップ７の係合突起７２を案内する左右一対の案内溝２７が形成されており、この案内溝２７の奥方部は、係合突起７２の先端部が係合する係合凹部２７ａとなっている。この係合凹部２７ａは下ケース２１内に形成されている。同様に、上ケース薄肉端部２２ａには、キャップ７の係合爪７３を案内する左右一対の案内溝２８が形成されており、この案内溝２８の奥方部は、係合爪７３の先端部が乗り越えて係合する係合爪２８ａとなっている。この係合爪２８ａは上ケース２２内に形成されている。さらに、上ケース薄肉端部２２ａの放音用開口２６の奥側には、キャップ７の係合突起７４が係合する係合凹部２９が形成されている。
【００１８】
従って、キャップ７は、下ケース２１及び上ケース２２の薄肉端部２１ａ・２２ａが、スピーカ９の両側部でネジｎにより互いに結合されている部分に対し、左右の係合突起７２を案内溝２７に夫々挿入するとともに、左右の係合爪７３を案内溝２８に夫々挿入して、押し込むことで上下のケース薄肉端部２１ａ・２２ａに嵌め付けた状態で装着される。すなわち、キャップ７を押し込むと、係合突起７２の先端部が、案内溝２７の奥方において下ケース２１内の係合凹部２７ａに係合すると同時に、係合爪７３の先端部が、案内溝２８の奥方において係合爪２８ａを乗り越えて係合した状態となる。このとき、上ケース薄肉端部２２ａの放音用開口２６の奥側において、係合凹部２９にキャップ７の係合突起７４が係合した状態になる。
【００１９】
このように、下ケース２１及び上ケース２２の薄肉端部２１ａ・２２ａが、スピーカ９の両側部でネジｎにより互いに結合されている部分を、キャップ７で覆ったことにより、外観を良好なものにできる。
しかも、キャップ７は、上ケース薄肉端部２２ａの放音用開口２６と対応して透明カバー２４に沿った中央位置に切欠による放音部７１を有しているため、受話用のスピーカ９の放音部７１を有する機能部品としても有効利用できるものとなっている。
【００２０】
なお、以上の実施形態においては、折り畳み式の携帯電話機としたが、本発明はこれに限定されるものではなく、折り畳み式のＰＤＡ、その他の携帯端末機、一体型の携帯電話機やＰＤＡ、その他の携帯端末機であっても良い。
また、キャップ及び放音部の形状等も任意であり、その他、筐体端部にキャップを嵌めつける具体的な細部構造等についても適宜に変更可能であることは勿論である。
【図面の簡単な説明】
【００２１】
【図１】本発明を適用した携帯端末機の一実施形態の構成として携帯電話機を示すもので、表示画面を内側にした折り畳み状態を示した斜視図（ａ）と表示画面を外側にした折り畳み状態を示した斜視図（ｂ）である。
【図２】図１の携帯電話機を開いた状態を示した斜視図（ａ）とその表示側筐体を回転させる動作状態を示した斜視図（ｂ）である。
【図３】表示側筐体のサブ表示画面を上にした状態の平面図である。
【図４】図３の矢印Ａ−Ａ線に沿って示した断面図である。
【図５】図４のキャップ部分の拡大図である。
【図６】図３の表示側筐体とキャップの分解斜視図である。
【図７】図６のキャップと表示側筐体の構成部品等を示した分解斜視図である。
【図８】表示側筐体のメイン表示画面を上にした状態でネジ及びキャップ等を示した分解斜視図である。
【図９】図８のネジ及びキャップを表示側筐体に組み付けた状態の斜視図である。
【符号の説明】
【００２２】
２  筐体
２１  下ケース
２１ａ  ケース端部
２２  上ケース
２２ａ  ケース端部
２６  放音用開口
２７  案内溝
２７ａ  係合凹部
２８  案内溝
２８ａ  係合爪
２９  係合凹部
７  キャップ
７１  放音部
７２  係合突起
７３  係合爪
７４  係合突起
９  スピーカ
ｎ  ネジ
【図１】
2008160650.tif 000003
【図２】
2008160650.tif 000004
【図３】
2008160650.tif 000005
【図４】
2008160650.tif 000006
【図５】
2008160650.tif 000007
【図６】
2008160650.tif 000008
【図７】
2008160650.tif 000009
【図８】
2008160650.tif 000010
【図９】
2008160650.tif 000011